(57)【要約】【課題】ノイズ耐性を高めたアクティブセンサを提供する。【解決手段】投光器７２は、プローブ光Ｌ１を出射する。イメージセンサ７４は、投光器７２の発光状態において第１画像ＩＭＧａを、投光器７２の非発光状態において第２画像ＩＭＧｂを取得可能に構成される。第２画像ＩＭＧｂは、第１画像ＩＭＧａの補正に利用可能である。【選択図】図１
2020106376.tif 000002
【特許請求の範囲】
【請求項１】
プローブ光を出射する投光器と、
イメージセンサと、
を備え、
前記投光器の発光状態において第１画像を、前記投光器の非発光状態において第２画像を取得可能に構成され、
前記第２画像は、前記第１画像の補正に利用可能であることを特徴とするアクティブセンサ。
【請求項２】
前記投光器と前記イメージセンサのセットを二個備え、セットごとに波長が異なることを特徴とする請求項１に記載のアクティブセンサ。
【請求項３】
２個のセットが相補的に動作することを特徴とする請求項２に記載のアクティブセンサ。
【請求項４】
前記投光器の発光タイミングおよび前記イメージセンサの露光タイミングを制御するコントローラをさらに備えることを特徴とする請求項１から３のいずれかに記載のアクティブセンサ。
【請求項５】
前記アクティブセンサは、奥行き方向について複数のレンジに区切り、レンジ毎に、発光と撮像の時間差を変化させることにより、前記複数のレンジに対応する複数の画像を取得可能なゲーティングカメラであることを特徴とする請求項１から４のいずれかに記載のアクティブセンサ。
【請求項６】
前記第２画像は、前記複数のレンジで共通に取得されることを特徴とする請求項５に記載のアクティブセンサ。
【請求項７】
前記第２画像は、前記レンジごとに取得されることを特徴とする請求項５に記載のアクティブセンサ。
【請求項８】
前記プローブ光の波長は、赤外または紫外であることを特徴とする請求項１から７のいずれかに記載のアクティブセンサ。
【請求項９】
請求項１から８のいずれかに記載のアクティブセンサと、
前記アクティブセンサによって得られる画像にもとづいて、物体の種類を識別可能な演算処理装置と、
を備えることを特徴とする物体識別システム。
【請求項１０】
請求項９に記載の物体識別システムを備えることを特徴とする車両用灯具。
【請求項１１】
請求項９に記載の物体識別システムを備えることを特徴とする車両。
【発明の詳細な説明】
【技術分野】
【０００１】
本発明は、物体識別システムに関する。
【背景技術】
【０００２】
自動運転やヘッドランプの配光の自動制御のために、車両の周囲に存在する物体の位置および種類をセンシングする物体識別システムが利用される。物体識別システムは、センサと、センサの出力を解析する演算処理装置を含む。センサは、カメラ、ＬｉＤＡＲ（Light Detection and Ranging、Laser Imaging Detection and Ranging）、ミリ波レーダ、超音波ソナーなどの中から、用途、要求精度やコストを考慮して選択される。
【０００３】
センサには、パッシブセンサとアクティブセンサがある。パッシブセンサは、物体が放射した光、あるいは物体が環境光を反射した光を検出するものであり、センサ自体は、光を放射しない。一方、アクティブセンサは、物体にプローブ光を照射し、その反射光を検出する。アクティブセンサは、主として、物体に光を照射する投光器（照明）と、物体からの反射光を撮像するイメージセンサを備える。アクティブセンサは、プローブ光の波長とイメージセンサの感度波長域を合わせることで、パッシブセンサよりも外乱に対する耐性を高めることができるという利点を有する。
【先行技術文献】
【特許文献】
【０００４】
【特許文献１】特開２００９−２５７９８３号公報
【特許文献２】国際公開ＷＯ２０１７／１１０４１３Ａ１
【発明の概要】
【発明が解決しようとする課題】
【０００５】
車載用のアクティブセンサは、屋外で使用される。太陽光の波長は、紫外から赤外に及ぶため、プローブ光の波長とオーバーラップする。このことは、太陽光が、アクティブセンサに対する外乱となることを意味する。また太陽光のスペクトル、言い換えれば外乱成分の強さは、時間帯によって変化する。
【０００６】
物体識別システムは、アクティブセンサの出力画像を受け、それに含まれる物体の位置や種類（カテゴリー）を分類する分類器を備える。分類器は、予め用意した膨大な数の画像を学習データ（トレーニングデータ）を用いた機械学習により生成されるモデルを実装したものである。
【０００７】
このような物体識別システムにおいて、昼夜を問わずに高い識別率を実現するためには、さまざまな照度環境下で撮影した画像を学習データとして用いる必要があった。
【０００８】
本発明は係る状況においてなされたものであり、そのある態様の例示的な目的のひとつは、ノイズ耐性を高めたアクティブセンサの提供にある。また別の目的のひとつは、アクティブセンサを用いた物体識別システムの識別率の改善、あるいは学習コストの低減にある。
【課題を解決するための手段】
【０００９】
本発明のある態様はアクティブセンサに関する。アクティブセンサは、プローブ光を出射する投光器と、イメージセンサと、を備える。アクティブセンサは、投光器の発光状態において第１画像を、投光器の非発光状態において第２画像を取得可能に構成される。第２画像は、第１画像の補正に利用可能である。
【発明の効果】
【００１０】
本発明によれば、ノイズ耐性を高めたアクティブセンサを提供できる。
【図面の簡単な説明】
【００１１】
【図１】実施例１に係る物体識別システムのブロック図である。
【図２】図１の物体識別システムの動作を説明するタイムチャートである。
【図３】変形例１．１に係る物体識別システムの動作を説明するタイムチャートである。
【図４】変形例１．２に係る物体識別システムの動作を説明するタイムチャートである。
【図５】実施例２に係る物体識別システムのブロック図である。
【図６】図５の物体識別システムの動作を説明するタイムチャートである。
【図７】実施例３に係る物体識別システムを示す図である。
【図８】ゲーティングカメラの動作を説明する図である。
【図９】図９（ａ）、（ｂ）は、ゲーティングカメラにより得られる複数の画像を説明する図である。
【図１０】図７の物体識別システムの動作波形図である。
【図１１】物体識別システムを備える自動車を示す図である。
【図１２】物体検出システムを備える車両用灯具を示すブロック図である。
【発明を実施するための形態】
【００１２】
（実施の形態の概要）
本明細書に開示される一実施の形態は、アクティブセンサに関する。アクティブセンサは、プローブ光を出射する投光器と、イメージセンサと、を備える。アクティブセンサは、投光器の発光状態において第１画像を、投光器の非発光状態において第２画像を取得可能に構成される。第２画像は、第１画像の補正に利用可能である。
【００１３】
投光器によるプローブ光の非発光状態で外乱ノイズのみを含む第２画像を取得し、外乱ノイズとプローブ光の成分を含む第１画像との差分をとることにより、外乱ノイズの影響を低減でき、ノイズ耐性を高めることができる。
【００１４】
投光器とイメージセンサのセットを二個備え、セットごとに波長が異なっていてもよい。
【００１５】
２個のセットは相補的に動作してもよい。これによりフレームレートを高めることができる。
【００１６】
あるいは２個のセットの一方のみを動作させてもよい。たとえば、環境光の状態（スペクトル）に応じて、２個のセットＸ，Ｙから、分類器の識別率が高まる一方を選択して動作させてもよい。
【００１７】
アクティブセンサは、投光器の発光タイミングおよびイメージセンサの露光タイミングを制御するコントローラをさらに備えてもよい。
【００１８】
アクティブセンサは、奥行き方向について複数のレンジに区切り、レンジ毎に、発光と撮像の時間差を変化させることにより、複数のレンジに対応する複数の画像を取得可能なゲーティングカメラであってもよい。
【００１９】
第２画像は、レンジ毎に取得されてもよい。これにより精度を高めることができる。
【００２０】
あるいは全レンジにおいて共通の第２画像を用いてもよい。この場合、フレームレートの低下を抑制できる。
【００２１】
投光器は、赤外光または紫外光を出力可能であってもよい。
【００２２】
本明細書に開示される一実施の形態は、物体識別システムに関する。物体識別システムは、アクティブセンサと、アクティブセンサによって得られる画像にもとづいて、物体の種類を識別可能な演算処理装置と、を備えてもよい。
【００２３】
分類器に入力される画像データに含まれる外乱ノイズが大幅に低減される。このことは、外乱ノイズが分類器のモデルに与える影響が低減されることを意味する。したがって学習データの収集に要する労力、時間、コストを削減できる。
【００２４】
（実施の形態）
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２５】
（実施例１）
図１は、実施例１に係る物体識別システム１０のブロック図である。この物体識別システム１０は、自動車やバイクなどの車両に搭載され、車両の周囲に存在する物体ＯＢＪの種類（カテゴリ）を判定する。
【００２６】
物体識別システム１０は、アクティブセンサ７０と、演算処理装置４０を備える。アクティブセンサ７０は、プローブ光Ｌ１を物体ＯＢＪに照射し、物体ＯＢＪによって反射された反射光Ｌ２を撮像する。演算処理装置４０は、アクティブセンサ７０の出力画像を処理し、物体ＯＢＪの位置および種類（カテゴリ）を判定する。
【００２７】
アクティブセンサ７０は、投光器７２、イメージセンサ７４、コントローラ７６、補正部７８を備える。投光器７２は、コントローラ７６から与えられる投光タイミング信号Ｓ１と同期して、プローブ光Ｌ１を車両前方に照射する。プローブ光Ｌ１は赤外光あるいは紫外光であることが好ましいが、その限りでなく、所定の波長を有する可視光であってもよい。
【００２８】
イメージセンサ７４は、プローブ光Ｌ１と同じ波長に感度を有しており、物体ＯＢＪが反射した反射光（戻り光）Ｌ２を撮影する。イメージセンサ７４は、コントローラ７６から与えられる撮影タイミング信号Ｓ２と同期した露光制御が可能であり、画像ＩＭＧを生成可能に構成される。投光器７２の発光状態に得られる画像を第１画像ＩＭＧａ、投光器７２の非発光状態に得られる画像を第２画像ＩＭＧｂと称して区別する。コントローラ７６は、投光器７２の発光タイミングおよびイメージセンサ７４の露光タイミングを制御する。
【００２９】
物体識別システム１０は屋外で使用されるため、物体ＯＢＪには、プローブ光Ｌ１のみでなく、太陽や街路灯からの光（環境光）Ｌ３が照射される。したがってイメージセンサ７４には、物体ＯＢＪが環境光Ｌ３を反射した光Ｌ４が入射する。加えて、イメージセンサ７４の向きによっては、環境光Ｌ３が直接入射する場合ある。したがって環境光Ｌ３のスペクトルがイメージセンサ７４の感度波長と重なる場合、環境光Ｌ３は外乱ノイズとなる。
【００３０】
環境光Ｌ３の影響を低減するために、物体識別システム１０は以下の機能を有する。
【００３１】
アクティブセンサ７０は、投光器７２を発光状態と非発光状態とで切り替えて２回撮影を行い、発光状態で取得された第１画像ＩＭＧａを、非発光状態で取得された第２画像ＩＭＧｂとを取得可能ある。第１画像ＩＭＧａは、第２画像ＩＭＧｂを用いて補正することができる。本実施例において、この補正は、アクティブセンサ７０に設けられた補正部７８が行う。
【００３２】
ここでは簡単のため、第１画像ＩＭＧａの撮影時と第２画像ＩＭＧｂの撮影時とで、イメージセンサ７４の露出が揃っているものと仮定する。露出は、シャッタースピード、絞り、イメージセンサの感度の関係で定まる。この場合、補正部７８は、第１画像ＩＭＧａの各画素について、第２画像ＩＭＧｂの対応する画素の画素値を減算し、減算後の画素値からなる第３画像ＩＭＧｃを生成する。
【００３３】
演算処理装置４０は、ＣＰＵ（Central Processing Unit）やＭＰＵ（Micro Processing Unit）、マイコンなどのプロセッサ（ハードウェア）と、プロセッサ（ハードウェア）が実行するソフトウェアプログラムの組み合わせで実装することができる。演算処理装置４０は、複数のプロセッサの組み合わせであってもよい。あるいは演算処理装置４０はハードウェアのみで構成してもよい。
【００３４】
演算処理装置４０の分類器４２は、第３画像ＩＭＧｃを入力として受け、それに含まれる物体ＯＢＪの位置および種類を判定する。分類器４２は、機械学習によって生成されたモデルにもとづいて実装される。分類器４２のアルゴリズムは特に限定されないが、ＹＯＬＯ（You Only Look Once）とＳＳＤ（Single Shot MultiBox Detector）、R-CNN（Region-based Convolutional Neural Network）、SPPnet（Spatial Pyramid Pooling）、Faster R-CNN、DSSD（Deconvolution -SSD）、Mask R-CNNなどを採用することができ、あるいは、将来開発されるアルゴリズムを採用できる。
【００３５】
以上が物体識別システム１０の構成である。続いてその動作を説明する。図２は、図１の物体識別システム１０の動作を説明するタイムチャートである。
【００３６】
１フレーム周期ＴＦＲＡＭＥにおいて、投光タイミング信号Ｓ１は、ハイ期間とロー期間をとる。ハイ期間は投光器７２の発光期間であり、ロー期間は投光器７２の非発光期間である。
【００３７】
撮影タイミング信号Ｓ２は、投光タイミング信号Ｓ１のハイ期間とロー期間それぞれにおいてハイとなり、イメージセンサ７４による撮影が指示される。発光状態におけるシャッタースピード（露光時間）Ｔｓ１と、非発光状態におけるシャッタースピードＴｓ２は、等しくてもよいし異なっていてもよい。
【００３８】
イメージセンサ７４からは、第１画像ＩＭＧａと第２画像ＩＭＧｂが交互に出力される。２つの画像のペアＩＭＧａ、ＩＭＧｂが揃うと、第２画像ＩＭＧｂを用いて、第１画像ＩＭＧａが補正される。この補正は、最も簡易には画素値の減算とすることができ、ＩＭＧａ−ＩＭＧｂのように表される。そして補正後の画像ＩＭＧｃが、フレーム周期ＴＦＲＡＭＥごとに出力される。
【００３９】
以上が物体識別システム１０の動作である。続いてその利点を説明する。
プローブ光Ｌ１の発光状態において撮影された第１画像ＩＭＧａは、反射光Ｌ２と外乱ノイズ（環境光の成分Ｌ３，Ｌ４）を含む。一方、プローブ光Ｌ１の非発光状態において撮影された第２画像ＩＭＧｂには、外乱ノイズのみが含まれる。そこで、それらの差分をとることにより、外乱ノイズの影響を低減でき、ノイズ耐性を高めることができる。
【００４０】
また従来では、学習済みの分類器４２に入力される画像データに、環境光に起因する外乱ノイズが含まれるため、分類器４２には、外乱ノイズの量にかかわらず、物体ＯＢＪを正しく判定する能力が要求されていた。したがって分類器４２を機械学習のために、環境光の照度や色温度を変えて撮影した画像（学習データ）を収集する必要があった。
【００４１】
これに対して本実施の形態に係るアクティブセンサ７０を用いることで、分類器４２に入力される画像データに含まれる外乱ノイズが大幅に低減される。このことは、外乱ノイズが分類器４２のモデルに与える影響が低減されることを意味する。したがって学習データの収集に要する労力、時間、コストを削減できる。
【００４２】
続いて、実施例１に関連する変形例を説明する。
【００４３】
（変形例１．１）
図３は、変形例１．１に係る物体識別システム１０の動作を説明するタイムチャートである。変形例１．１において、非発光状態の第２画像ＩＭＧｂが先行して取得され、それに続いて、発光状態の第１画像ＩＭＧａが取得される。
【００４４】
（変形例１．２）
実施例１では、第１画像ＩＭＧａを取得するたびに、第２画像ＩＭＧｂを取得したがその限りでない。図４は、変形例１．２に係る物体識別システム１０の動作を説明するタイムチャートである。変形例１．２において、補正用の第２画像ＩＭＧｂは、数フレーム（ここでは３フレーム）に１回、撮影する。変形例１．２によれば、図２に比べてフレーム周期を短くすることができる。
【００４５】
（変形例１．３）
あるいは非発光状態で複数回の撮影を行い、得られた画像を平均（あるいは加算）することにより、第２画像ＩＭＧｂを生成してもよい。
【００４６】
（変形例１．４）
実施例１では、アクティブセンサ７０に、補正部７８を設けたがその限りでない。アクティブセンサ７０は、第１画像ＩＭＧａ、第２画像ＩＭＧｂのペアを出力することとし、補正部７８の機能を演算処理装置４０に実行させてもよい。
【００４７】
（変形例１．５）
発光状態と非発光状態とで、イメージセンサ７４の露出は異なっていてもよい。この場合、露出が揃うように、第１画像ＩＭＧａ、第２画像ＩＭＧｂを画像処理によって増感、あるいは減感し、露出を揃えた状態で、減算処理を行えばよい。
【００４８】
（実施例２）
図５は、実施例２に係る物体識別システム１０Ａのブロック図である。物体識別システム１０Ａは、演算処理装置４０およびアクティブセンサ７０Ａを備える。アクティブセンサ７０Ａは、投光器７２とイメージセンサ７４のセットを二組Ｘ，Ｙ備える。第１セットＸと第２セットＹは、波長が異なる。第１セットＸにおいて、投光器７２ｘは第１波長λＩのプローブ光を出射する。イメージセンサ７４ｘは第１波長λＩに感度を有するが、第２波長λＩＩには不感である。第２セットＹにおいて、投光器７２ｙは第２波長λＩＩのプローブ光を出射し、イメージセンサ７４ｙは第２波長λ１に感度を有するが、第１波長λＩには不感である。
【００４９】
図６は、図５の物体識別システム１０Ａの動作を説明するタイムチャートである。この  ２個のセットが相補的に動作する。具体的には、第１セットＸの発光状態は、第２セットＹの非発光状態であり、第１セットＸの非発光状態は、第２セットＹの発光状態である。これにより、各セットの動作周期（フレーム周期）ＴＦＲＡＭＥの間に、２枚の画像ＩＭＧｃを得ることができ、実効的なフレームレートを増やすことができる。
【００５０】
なお、２つのセットＸ，Ｙの一方のみを選択して動作させてもよい。たとえば環境光の状態（スペクトル）に応じて、２個のセットＸ，Ｙから、分類器４２の識別率が高まる一方を選択して動作させてもよい。
【００５１】
（実施例３）
図７は、実施例３に係る物体識別システム１０Ｃを示す図である。アクティブセンサ７０Ｃは、ゲーティングカメラである。ゲーティングカメラ７０Ｃによる撮影は、奥行き方向について複数Ｎ個（Ｎ≧２）のレンジＲＮＧ１〜ＲＮＧＮに区切り、レンジ毎に区切って行われる。隣接するレンジ同士は、それらの境界において奥行き方向にオーバーラップしてもよい。
【００５２】
コントローラ７６は、レンジ毎ＲＮＧに、投光タイミング信号Ｓ１と撮影タイミング信号Ｓ２を変化させて、投光器７２による投光と、イメージセンサ７４の露光の時間差を変化させる。ゲーティングカメラ７０Ｃは、複数のレンジＲＮＧ１〜ＲＮＧＮに対応する複数の第１画像ＩＭＧａ１〜ＩＭＧａＮを生成する。ｉ番目の第１画像ＩＭＧａｉには、対応するレンジＲＮＧｉに含まれる物体のみが写ることとなる。
【００５３】
図８は、ゲーティングカメラ７０Ｃの動作を説明する図である。図８にはｉ番目のレンジＲＮＧｉを測定するときの様子が示される。投光器７２は、投光タイミング信号Ｓ１と同期して、時刻ｔ０〜ｔ１の間の発光期間τ１の間、発光する。最上段には、横軸に時間、縦軸に距離をとった光線のダイアグラムが示される。ゲーティングカメラ７０Ｃから、レンジＲＮＧｉの手前の境界までの距離をｄＭＩＮｉ、レンジＲＮＧｉの奥側の境界までの距離をｄＭＡＸｉとする。
【００５４】
ある時刻に投光器７２を出発した光が、距離ｄＭＩＮｉに到達してその反射光がイメージセンサ７４に戻ってくるまでのラウンドトリップ時間ＴＭＩＮｉは、
ＴＭＩＮｉ＝２×ｄＭＩＮｉ／ｃ
である。ｃは光速である。
【００５５】
同様に、ある時刻に投光器７２を出発した光が、距離ｄＭＡＸｉに到達してその反射光がイメージセンサ７４に戻ってくるまでのラウンドトリップ時間ＴＭＡＸｉは、
ＴＭＡＸｉ＝２×ｄＭＡＸｉ／ｃ
である。
【００５６】
レンジＲＮＧｉに含まれる物体ＯＢＪのみを撮影したいとき、コントローラ７６は、時刻ｔ２＝ｔ０＋ＴＭＩＮｉに露光を開始し、時刻ｔ３＝ｔ１＋ＴＭＡＸｉに露光を終了するように、撮影タイミング信号Ｓ２を生成する。これが１回の露光動作である。
【００５７】
ｉ番目のレンジＲＮＧｉを撮影する際に、複数回の露光を行ってもよい。この場合、コントローラ７６は、所定の周期τ２で、上述の露光動作を複数回にわたり繰り返せばよい。
【００５８】
図９（ａ）、（ｂ）は、ゲーティングカメラ７０Ｃにより得られる複数の画像を説明する図である。図９（ａ）の例では、レンジＲＮＧ２に物体（歩行者）ＯＢＪ２が存在し、レンジＲＮＧ３に物体（車両）ＯＢＪ３が存在している。図９（ｂ）には、図９（ａ）の状況で得られる複数の第１画像ＩＭＧａ１〜ＩＭＧａ３が示される。画像ＩＭＧａ１を撮影するとき、イメージセンサはレンジＲＮＧ１からの反射光のみにより露光されるため、画像ＩＭＧａ１にはいかなる物体も写らない。
【００５９】
画像ＩＭＧａ２を撮影するとき、イメージセンサはレンジＲＮＧ２からの反射光のみにより露光されるため、画像ＩＭＧａ２には、物体ＯＢＪ２のみが写る。同様に画像ＩＭＧａ３を撮影するとき、イメージセンサはレンジＲＮＧ３からの反射光のみにより露光されるため、画像ＩＭＧａ３には、物体ＯＢＪ３のみが写る。このようにゲーティングカメラ７０Ｃによれば、レンジごとに物体を分離して撮影することができる。
【００６０】
以上が物体識別システム１０Ｃの構成である。続いてその動作を説明する。図１０は、図７の物体識別システム１０Ｃの動作波形図である。図１０では、第２画像ＩＭＧｂは、最初に１枚だけ撮影し、複数のレンジで共有される。なお、第２画像ＩＭＧｂの撮影を、レンジ毎に行ってもよい。
【００６１】
図１１は、物体識別システム１０を備える自動車を示す図である。自動車３００は、前照灯３０２Ｌ，３０２Ｒを備える。物体識別システム１０は、前照灯３０２Ｌ，３０２Ｒの少なくとも一方に内蔵される。前照灯３０２は、車体の最も先端に位置しており、周囲の物体を検出する上で、アクティブセンサ７０の設置箇所として最も有利である。
【００６２】
図１２は、物体検出システム２１０を備える車両用灯具２００を示すブロック図である。車両用灯具２００は、車両側ＥＣＵ３０４とともに灯具システム３１０を構成する。車両用灯具２００は、光源２０２、点灯回路２０４、光学系２０６を備える。さらに車両用灯具２００には、物体検出システム２１０が設けられる。物体検出システム２１０は、上述の物体識別システム１０に対応しており、アクティブセンサ７０および演算処理装置４０を含む。
【００６３】
演算処理装置４０が検出した物体ＯＢＪに関する情報は、車両用灯具２００の配光制御に利用してもよい。具体的には、灯具側ＥＣＵ２０８は、演算処理装置４０が生成する物体ＯＢＪの種類とその位置に関する情報にもとづいて、適切な配光パターンを生成する。点灯回路２０４および光学系２０６は、灯具側ＥＣＵ２０８が生成した配光パターンが得られるように動作する。
【００６４】
また演算処理装置４０が検出した物体ＯＢＪに関する情報は、車両側ＥＣＵ３０４に送信してもよい。車両側ＥＣＵは、この情報にもとづいて、自動運転を行ってもよい。
【００６５】
実施の形態にもとづき、具体的な語句を用いて本発明を説明したが、実施の形態は、本発明の原理、応用の一側面を示しているにすぎず、実施の形態には、請求の範囲に規定された本発明の思想を逸脱しない範囲において、多くの変形例や配置の変更が認められる。
【符号の説明】
【００６６】
１０  物体識別システム
ＯＢＪ  物体
２０  ゲーティングカメラ
２２  投光器
２４  イメージセンサ
２６  コントローラ
Ｓ１  投光タイミング信号
Ｓ２  撮影タイミング信号
ＩＭＧａ  第１画像
ＩＭＧｂ  第２画像
ＩＭＧｃ  第３画像
４０  演算処理装置
４２  分類器
７０  アクティブセンサ
７２  投光器
７４  イメージセンサ
７６  コントローラ
７８  補正部
２００  車両用灯具
２０２  光源
２０４  点灯回路
２０６  光学系
３００  自動車
３０２  前照灯
３１０  灯具システム
３０４  車両側ＥＣＵ
Ｌ１  プローブ光
Ｌ２  反射光
Ｌ３  環境光
【図１】
2020106376.tif 000003
【図２】
2020106376.tif 000004
【図３】
2020106376.tif 000005
【図４】
2020106376.tif 000006
【図５】
2020106376.tif 000007
【図６】
2020106376.tif 000008
【図７】
2020106376.tif 000009
【図８】
2020106376.tif 000010
【図９】
2020106376.tif 000011
【図１０】
2020106376.tif 000012
【図１１】
2020106376.tif 000013
【図１２】
2020106376.tif 000014